(57)【要約】【課題】  手動操作操作手段の規制範囲を手動で任意に変更することができ、撮影者の要望に応じた操作回転角を選択することが出来るズームレンズ操作装置を提供する。【解決手段】  中立位置を有し、回転操作可能な手動操作手段と、該手動操作手段の回転角度を規制する規制手段を有し、該手動操作手段の回転角度に応じて、ズーム駆動信号を出力し、前記中立位置においてはズーム駆動信号が出力されないズームレンズ操作装置において、前記規制手段の位置を任意の位置へ移動可能な移動機構を有することを特徴とする。【選択図】        図１
2006317513.tif 000002
【特許請求の範囲】
【請求項１】
中立位置を有し、回転操作可能な手動操作手段と、該手動操作手段の回転角度を規制する規制手段を有し、該手動操作手段の回転角度に応じて、ズーム駆動信号を出力し、前記中立位置においてはズーム駆動信号が出力されないズームレンズ操作装置において、前記規制手段の位置を任意の位置へ移動可能な移動機構を有することを特徴とするズームレンズ操作装置。
【請求項２】
前記規制手段の位置を検出する検出手段と、該検出手段の出力信号をもとに、前記手動操作手段の操作回転端を電気的に算出し、電気的な操作回転端に基づいて前記操作手段の回転角度とズーム制御信号の関係を算出する制御部を有することを特徴とする請求項１に記載のズームレンズ操作装置。
【発明の詳細な説明】
【技術分野】
【０００１】
本発明は、レンズ操作装置、特に回転操作によりズームレンズの駆動系を制御するズームレンズのズームレンズ操作装置に関するものである。
【背景技術】
【０００２】
テレビカメラ用レンズにおいて、撮影者はズーム操作を行うためにズームデマンド等と称されるズームレンズ操作装置を使用する。このズームデマンドは、撮影者が手動で操作するための操作部材に相当するサムリングを有し、サムリング回転範囲の中点（サムリング中立点）からテレ方向およびワイド方向へ回転操作によって、サムリングの回転軸に取付けられた回転角度センサから角度信号を得る。得られた角度信号がサムリング中立点であれば、ズーム駆動信号の出力は行わず、中立点以外のテレ方向もしくはワイド方向での角度信号が得られると、その角度に応じて、テレ方向もしくはワイド方向へレンズ装置のモータ等の駆動装置を制御し、ズーム位置をコントロールする。また、ズームデマンドには、サムリングの回転操作端を有しており、サムリング中立点と回転操作端間の角度情報をもとに、レンズ駆動系を制御する制御信号を算出している。
【０００３】
ここで、従来のズームデマンドにおける回転操作端について説明する。
【０００４】
図７は従来のズームデマンドの機構を示している。撮影者がズーム操作を行う場合、撮影者は、サムリング５０を回転操作し、サムリング５０と連結した回転軸５４が回転することで、さらに回転軸５４とカップリング５５にて連結された回転角度センサ５７より回転操作角度が検出される。検出された回転角度信号は制御装置５８へ取り込まれ、図６（ｃ）に示した予め決められたサムリング回転角度−ズーム制御信号の関係から、ズーム制御信号を算出し、コネクタ５９で接続されたズームレンズへ制御信号を送出する。
【０００５】
このときサムリング５０の倒し角度の規制は、図７（ｂ）で示すようにズームデマンド内のグリップ５２ｂの溝５２ｃとサムリング５０と連結した回転コマ５１が接触することにより規制されており、規制端における最大角度は、図７（ｃ）で示したグラフの最大角度に相当する。
【特許文献１】特開平０８−３３４６７３号公報
【発明の開示】
【発明が解決しようとする課題】
【０００６】
しかしながら上記従来例では、サムリング操作角度の規制範囲が限定されているため、例えば、規制範囲を狭くして、操作回転角度に対するズーム制御信号の関係を敏感なものにしたり、その逆に規制範囲を広くして、鈍感なものにしたりといった多様化する撮影者の操作感に応えることができない。
【０００７】
そのため、従来は、一つのレンズを複数の撮影者が使用し、ズームデマンドに対する前述の操作感の好みがそれぞれ異なる場合には、異なった回転角度の規制溝を持ったズームデマンドを複数用意する必要があり、コスト的にも、運搬面においても、デメリットがあった。
【０００８】
本発明は、上述の問題点に着目してなされたものであって、手動操作操作手段の規制範囲を手動で任意に変更することができ、撮影者の要望に応じた操作回転角を選択することが出来るズームレンズ操作装置を提供することを目的とする。
【課題を解決するための手段】
【０００９】
上記目的を達成するため、本出願に関わる第１の発明の操作装置は、中立位置から第１の方向と第２の方向へ回転して、回転操作する手動操作手段と、該手動操作手段の回転角度を規制する規制手段を有し、該手動操作手段の回転角度に応じて、ズーム駆動信号を出力することを特徴とし、該中立位置においてはズーム駆動信号が出力されないズームレンズ操作装置において、前記規制手段の位置を任意の位置へ移動可能な移動機構を有することを特徴とするズームレンズ操作装置である。
【００１０】
また、本願第２の発明の操作装置は、前記規制手段の位置を検出する検出手段と、該検出手段の出力信号をもとに、前記手動操作手段の操作回転端を電気的に算出し、電気的な操作回転端に基づいて前記操作手段の回転角度とズーム制御信号の関係を算出する制御部を有することを特徴とする第１の発明のズームレンズ操作装置である。
【発明の効果】
【００１１】
本発明によれば、レンズのズーム操作を行うズーム操作装置において、レンズのズーム撮影者の好みに応じて、回転操作部の回転角度規制を任意に手動で変更することができ、それと同時に、ズーム操作装置の回転角度とズーム駆動信号の関係を変更することができる。
【発明を実施するための最良の形態】
【００１２】
以下発明を実施するための最良の形態を、実施例により詳しく説明する。
【実施例】
【００１３】
（第１の実施例）
以下、第１の実施形態について、図１〜図５を用いて説明する。
【００１４】
ズームデマンドを示した図１において、撮影者がズーム操作を行うために、サムリング５０を回転操作したとき、その回転力は、サムリング５０→回転コマ５１→回転軸５４→カップリング５５→回転角センサ５７と伝達され、回転操作時の回転角度信号が検出される。このとき、サムリング５０の回転操作角の規制は、サムリング５０と連結した回転コマ５１がスライドコマ４に接触することにより決まる。スライドコマ４は、カムＡ１上とグリップ５２ａに固定されたガイド板８上を摺動する。このとき、スライドコマ４は、上下ガイドピン７により移動を図の上下方向に規制され、かつスプリング６により常に図の上方向にチャージされている。また、カムＡ１の移動は、左右ガイドピン５により、図の左右方向に規制されており、スライドコマ４と傾きを持ったカム面１ｄで接している。そのため、上方向へチャージされているスライドコマ４の力が、カム面１ｄを介することでカムＡ１を左方向へ移動する力へ変換される。カムＡ１は、図の左方向へ移動しようとするが、グリップ５２ａに切られた溝５２ｄにより図の左右方向の移動を規制されているカムピン２が、カムＡ１の左側に切られたカム溝１ａに嵌まり込むことにより、カムＡ１の左方向への移動を規制している。カムピン２は、デマンド本体５６ａとグリップ５２ａとの間で、サムリング５０と同じ回転軸を回転することができる操作角変更リング３に固定され、操作角変更リング３を回転して、カムピン２の位置を回転軸周りに回転することが可能な構造である。
【００１５】
次に、サムリング５０の回転角度規制を変更する場合について、図２を用いて説明する。前述のカム１Ａには、カムピン２と係合するカム溝１ａ〜１ｃが３箇所円周上に切られており、それぞれの溝位置は、図の左方向へ位置をずらしてある。回転角度規制を変更する場合には、まず、操作角変更リング３を回転し、カムピン２の位置をカムＡ１内のカム１ａから例えばカム溝１ｃに移動する。それにより、カムＡ１の左方向への規制位置がカム溝１ａからカム溝１ｃへと変化し、カムＡ１は、カム溝１ａから１ｃへの移動量分だけ移動する。そのとき、スライドコマ４は、カムＡ１のカム面１ｄと接するようにチャージされているため、上方向に移動する。回転コマ５１の規制であるスライドコマ４の位置が上方向へ移動するため、回転コマ５１との接触位置も上方向へ変化し、回転コマ５１の両方向の回転角度規制を一度に変化させる。このように、操作角変更リング３を回転操作することにより、サムリング５０の回転角度規制を任意になおかつサムリング回転両方向の回転角度規制を同時に移動することが可能である。
【００１６】
サムリングを回転させて、規制位置に到達したときに、ズームデマンドから出力されるズーム駆動制御信号を常に最大とする場合には、回転角度規制が変更したことを制御装置が認識する必要がある。その手段は、図３に示すように、モードスイッチ接点Ａ９、モードスイッチ接点Ａ’１０、モードスイッチ接点Ｂ１１、モードスイッチ接点Ｂ’１２の導通関係から選択する。カムＡ１のカムピン４の係合する溝１ａ〜１ｃは３段階になっており、それぞれのカムＡ１位置の移動に伴ってモードスイッチＡ側の接点が移動することにより、モードスイッチＢ側の接点との導通状態を変化させる。すなわち、カム溝１ａの時は、モードスイッチＡ−Ｂ間の導通はＯＦＦ、モードスイッチＡ’−Ｂ’間の導通はＯＮ、カム溝１ｂの時は、モードスイッチＡ−Ｂ間でＯＮ、モードスイッチＡ’−Ｂ’間でＯＦＦ、カム溝１ｃの時は、モードスイッチＡ−Ｂ間でＯＮ、モードスイッチＡ’−Ｂ’間でＯＮとなり、スイッチの出力は、制御装置５８へ入力されて、各位置におけるモードをａ〜ｃとし、各モードに対する規制回転角度と、その規制回転角度に対応するズーム特性カーブは、図４のように予め制御装置５８に記憶されている。
【００１７】
以上の構成より成り立つ本システムの作動フローについて、図５を用いて説明する。電源を投入し、作動が開始すると、モードスイッチの状態を読み込み、モードを決定する。次に、モードに応じて、サムリング規制回転角度を得て、それに基づいたズームカーブを決定する。その後、サムリングの操作角度を検出する回転角度センサからの回転角信号を検出し、設定されたズームカーブの関係から、ズーム制御信号を算出し、レンズ駆動系へズーム制御信号を出力する。その後、モードスイッチの状態が変化した場合、再度モードを決定し、ズームカーブを算出し直す。
【００１８】
このように、操作角変更リング３を回転させて、サムリング５０の回転角度規制を任意に規定し、それに伴って、規制する回転角度をモードスイッチの使用により算出することで、特別な操作を要さずに、ズームカーブの設定を行うことが可能となる。
【００１９】
（第２の実施例）
以下、第２の実施形態について、図６を用いて説明する。
【００２０】
第２の実施形態は、第１の実施形態における段階的な切替え溝を持つカムＡ１に対して、カムピン２を直線的に移動可能としたカムＢ１３にしたものである。操作角変更リングを回転することにより、カムピン２は、カムＢ１３のカム面１３ｂ上を移動し、カムＢ１３が左右方向へ連続的に移動する。すなわちカム面１３ａに接するスライドコマ４が上下方向に移動することで、規制する回転角度を連続的に変化することができる。このとき、操作角変更リング３は、内径部がネジになっている固定用リング１５を締めて、固定する。また、カムＢ１３の位置を検出する手段として、第１の実施例におけるモードスイッチの代わりに連続的に位置情報を検出するリニア位置センサ１４を用い、検出されたカムＢ１３の左右方向の位置情報から、回転規制角度を制御装置５８にて算出する。得られた回転規制角度に応じて予め設定されたズームカーブに基づいて、ズーム駆動系へ制御信号を送出する。
【図面の簡単な説明】
【００２１】
【図１】本発明の第１の実施例を示したズームデマンド装置の断面図で、（ａ）は縦断平面図、（ｂ）は操作角変更リング部縦断平面図、（ｃ）はサムリング部の横断平面図を示す。
【図２】本発明の第１の実施例を示したズームデマンド装置の回転規制部を切替えた場合の断面図で、（ａ）は縦断平面図、（ｂ）は操作角変更リング部縦断平面図、（ｃ）はサムリング部の横断平面図を示す。
【図３】本発明の第１の実施例におけるモードスイッチ部を示す図である。
【図４】本発明の第１の実施例における操作回転角度に対するズーム制御信号の関係（ズームカーブ）を示す図である。
【図５】本発明の第１の実施例における作動フローを示す。
【図６】本発明の第２の実施例を示したズームデマンド装置の断面図で、（ａ）は縦断平面図、（ｂ）は操作角変更リング部縦断平面図、（ｃ）はサムリング部の横断平面図を示す。
【図７】従来例を説明する図である。
【符号の説明】
【００２２】
１  カムＡ
２  カムピン
３  操作角変更リング
４  スライドコマ
５  左右ガイドピン
６  スプリング
７  上下ガイドピン
８  ガイド板
９  モードスイッチ接点Ａ
１０  モードスイッチ接点Ａ’
１１  モードスイッチ接点Ｂ
１２  モードスイッチ接点Ｂ’
１３  カムＢ
１４  リニア位置センサ
１５  固定用リング
５０  サムリング
５１  回転コマ
５２ａ，５２ｂ  グリップ
５３  グリップカバー
５４  回転軸
５５  カップリング
５６ａ，５６ｂ  デマンド本体
５７  回転角度センサ
５８  制御装置
５９  コネクタ
【図１】
2006317513.tif 000003
【図２】
2006317513.tif 000004
【図３】
2006317513.tif 000005
【図４】
2006317513.tif 000006
【図５】
2006317513.tif 000007
【図６】
2006317513.tif 000008
【図７】
2006317513.tif 000009